(57)【要約】【課題】ゴルフクラブヘッドの方向性と距離の対策。【解決手段】一般ゴルファーの悩みであるミスショットなどの衝撃を和らげる必要があるので、本発明品ゴルフクラブヘッドは、主材料としてマグネシューム合金を使用することで効果をねらった。ただ、マグネシューム合金の欠点として腐食に弱いという問題があり、その点を補強するため、表面に１ｍｍ程度のステンレス合金かチタン合金を接合させた。さらに、インパクト時の音についても、金属音を和らげパーシモンに近い音とした。【選択図】　　　　　図４
2004024734.tif 000002
【特許請求の範囲】
【請求項１】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部バックフェース付近にマグネシューム合金またはアルミニューム合金を肉厚にした錘を付けたことを特徴とするゴルフクラブヘッド。
【請求項２】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部バックフェース付近にマグネシューム合金またはアルミニューム合金を肉厚にした錘を付け、ホーゼルとフェースの外周にステンレス合金かチタン合金を使用したたことを特徴とするゴルフクラブヘッド。
【請求項３】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部バックフェース付近にマグネシューム合金またはアルミニューム合金を肉厚にした錘を付け、ホーゼルとフェースの外周にステンレス合金かチタン合金を使用し、フェースにはマグネシューム合金をステンレス合金かチタン合金で挟んだことを特徴とするゴルフクラブヘッド。
【請求項４】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部バックフェース付近にマグネシューム合金またはアルミニューム合金を肉厚にした錘を付け、ホーゼルとフェース外周にステンレス合金かチタン合金を使用し、フェースにはマグネシューム合金を主に副として複数の合金や炭素繊維をステンレス合金かチタン合金で挟んだことを特徴とするゴルフクラブヘッド。
【請求項５】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付けたことを特徴とするゴルフクラブヘッド。
【請求項６】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、ホーゼルとフェース外周にステンレス合金かチタン合金を使用したことを特徴とするゴルフクラブヘッド。
【請求項７】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、ホーゼルとフェース外周にステンレス合金かチタン合金を使用し、フェースにはマグネシューム合金をステンレス合金かチタン合金で挟んだことを特徴とするゴルフクラブヘッド。
【請求項８】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、ホーゼルとフェース外周にステンレス合金かチタン合金を使用し、フェースにはマグネシューム合金を主に副として複数の合金や炭素繊維をステンレス合金かチタン合金で挟んだことを特徴とするゴルフクラブヘッド。
【請求項９】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金または、アルミニューム合金を肉厚にした錘を付け、さらに、フェース面とソール面の表面にステンレス合金を接合したことを特徴とするゴルフクラブヘッド。
【請求項１０】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金または、アルミニューム合金を肉厚にした錘を付け、さらに、フェース面とソール面の表面にステンレス合金を接合し、ホーゼルとフェース外周にステンレス合金かチタン合金を使用したことを特徴とするゴルフクラブヘッド。
【請求項１１】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金または、アルミニューム合金を肉厚にした錘を付け、ソール面の表面にステンレス合金かチタン合金を接合し、ホーゼルとフェース外周にステンレス合金かチタン合金を使用し、フェースにはマグネシューム合金をステンレス合金かチタン合金で挟んだことを特徴とするゴルフクラブヘッド。
【請求項１２】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金または、アルミニューム合金を肉厚にした錘を付け、ソール面の表面にステンレス合金かチタン合金を接合し、ホーゼルとフェース外周にステンレス合金かチタン合金を使用し、フェースにはマグネシューム合金を主に副として複数の合金や炭素繊維をステンレス合金かチタン合金で挟んだことを特徴とするゴルフクラブヘッド。
【請求項１３】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、さらに、フェース面とソール面の表面にステンレス合金かチタン合金を接合したことを特徴とするゴルフクラブヘッド。
【請求項１４】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、さらに、フェース面とソール面の表面にステンレス合金かチタン合金を接合し、ホーゼルとフェースの外周にステンレス合金かチタン合金を使用したことを特徴とするゴルフクラブヘッド。
【請求項１５】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、ソール面の表面にステンレス合金かチタン合金を接合し、ホーゼルとフェース外周にステンレス合金かチタン合金を使用し、さらに、フェースにはマグネシューム合金をステンレスかチタン合金で挟んだことを特徴とするゴルフクラブヘッド。
【請求項１６】
ゴルフクラブヘッド全体の主材料としてマグネシューム合金を使用しフェース上部内側とクラウンのフェース側付近にマグネシューム合金またはアルミニューム合金を肉厚にした錘を付け、また、ソール後部付近とクラウンの後部付近のバックウエイト方向にマグネシューム合金またはアルミニューム合金を肉厚にした錘を付け、また、フェース下部から反対側のバックフェース下部付近に至るソール巾の長さの中心付近からソールの後部方向に向かってマグネシューム合金またはアルミニューム合金を肉厚にした錘を付け、ソール面の表面にステンレス合金かチタン合金を接合し、ホーゼルとフェース外周にステンレス合金かチタン合金を使用し、さらに、フェースにはマグネシューム合金を主に副として複数の合金や炭素繊維をステンレスかチタン合金で挟んだことを特徴とするゴルフクラブヘッド。
【請求項１７】
請求項１から請求項１７について、マグネシューム合金とアルミニューム合金を肉厚にした錘の接地部分は、別々ではなく一体として製作したゴルフクラブヘッド。
【発明の詳細な説明】
【０００１】
【発明の属する技術分野　】
この発明は、ゴルフクラブヘッドに関する。基本設計思想は、ストロークと方向と距離をフェースの高重心の位置、さらには、フェース上部とソール後部にウエイトを付けたヘッドに、衝撃吸収効果を組み合わせた、ゴルフクラブヘッドに関するものである。
【０００２】
【従来の技術　】
ゴルフクラブヘッドは、低重心、さらには、高反発フェースとヘッド体積に集中する。
【０００３】
ブリヂストンスポーツ株式会社、蛭田　正巨の特許公開番号・特開平９−２７６４５５には、インパクトの振動が手に伝わりにくく、打感も優れたものとする。
【０００４】
福井光器株式会社の特許公開番号・特開平１０−１７０８７３には、非常に軽くて長時間着用しても疲れなく、又レンズに無理がかからず該レンズとの馴染みのよいメガネフレームの提供。
【０００５】
有限会社アニージングスポーツ・寺本征一郎の特許公開番号・特開平１１−３３３０３７には、独自の縦横軸における番手毎の慣性モーメント理論の基づいてクラブヘッドのウエイトとフェースラウンドさらにはシャフトのトルク減衰率と時間、トルクの固有振動数調整を行うことによって、最適なバックスピン・サイドスピン量及び最適なパワーをボールに与える。
【０００６】
【発明が解決しようとする課題　】
従来のゴルフクラブヘッドのインパクト時の衝撃は大きく、縦軸の慣性モーメント重視で打ち易さを重視したゴルフクラブヘッドが多い。
【０００７】
特に、ゴルフクラブヘッドについては、ヘッド単体の体積を大きくすることで衝撃の吸収や方向性さらには、飛距離増を狙っているので違和感があるプレーヤーも多い。
【０００８】
練習量の多いプレーヤーや初心者、高齢者、女性ゴルファーにとって、インパクト時の衝撃は好ましいものではない。手首のけんしょう炎や腰に対しての衝撃を和らげることは解決すべきもっとも重要なテーマである。
【０００９】
勿論、インパクト時の衝撃は、ミスショットだけでなく、ナイスショットにおいても無視することの出来ない問題である。
【００１０】
従来の基本は、ヘッドの体積を大きく設定することでアドレスした状態の安定感が得られるので、飛距離が出て良いゴルフクラブヘッドとなっている。
【００１１】
上述のようなゴルフクラブヘッドを使用すれば距離感をやさしく取得することができゴルフプレーがやさしくなるだけでなく、楽しくなるとされている。
【００１２】
そこで、ゴルフクラブヘッドの衝撃を和らげ、ヘッドの縦軸だけでなく横軸のウエイトを調整、３次元設計にすることで、ボールの滑りだけでなく、正確な方向性をも達成することができるようにする必要がある。
【００１３】
【課題を解決するための手段】
この発明は、ゴルフクラブヘッドフェース面の高重心とソール後部ウエイトの調整と、衝撃吸収性のよいマグネシューム合金を主材料として使用することで、スムーズなスイングとボールの回転をバックスピンの減少とトップスピンがかかりやすい前回転をあたえることで方向性と距離の安定さらには、音の静かで体に優しいゴルフクラブとして開発したものである。
【００１４】
ゴルフクラブヘッドの衝撃吸収については、当然、ボールの当たるフェース面さらには、地面に当たるソール面の一部または全面にマグネシューム合金を使用することで役に立つ。
【００１５】
しかし、マグネシューム合金単体では特に塩分と水に対しての腐食が早いという欠点がある。ゴルフクラブは、塩分を含んだ水でのプレーが多く、この問題をクリアーすることも大きなテーマである。
【００１６】
そこで、衝撃や摩擦の大きいフェース部分とソール部分にステンレス合金に近い金属をマグネシューム合金と接合することが好ましい。
【００１７】
ゴルフクラブの設計は、縦軸と横軸の慣性モーメントの調整が重要である。ステンレスやチタン合金では比重という制約が大きく設計自由度に欠ける基本的欠点があった。その点、マグネシューム合金は比重１．７程度と極端に軽く設計するのに都合がよい。
【００１８】
また、ゴルフアーの大衆化を推進する上で重要なコストについても近い将来、量産した場合のコストダウンが可能であるかという問題にも取り組む必要がある。
【００１９】
さらに、ゴルファーについては、インパクト時の音を重視しつつある。基本として金属音の大きい音は好まれない傾向がある。本発明品のゴルフクラブヘッドはその点についても十分考慮に入れて開発、製造した。
【００２０】
具体的には、フェース面をステンレス合金かチタン合金で挟み、中にはマグネシューム合金やカーボン繊維やその他異種合金の組み合わせで音が変化するのでゴルファーの音の好みで調整すればよい。この場合、各種素材の厚みが重要な要素になる。わかり易くするために、図６、図７にはフェース部分のみ、拡大で極端に表示した。
【００２１】
ゴルフクラブヘッドの主たる部分にマグネシューム合金を使用した場合の欠点として腐食以外に強度の点もある。この点について、図９、図１０に表示しているように、シャフトとの連結部分であるネック付近について補強する必要がある。また、マグネシューム合金の金属特性としては強度のデータが周知として表示している、しかし、各種衝撃テストを繰り返した結果、上級者には補強が必要である。
【００２２】
図８のように、ネック部分とフェース外周を補強、ステンレス合金かチタン合金など相当な金属を使用することが望ましいが、前述のように、音の調整について、図９のようにフェース下部付近をその他の素材を使用してもよい。
また、できれば、図１０の斜線の部分１００の巾については、ネック部分に使用した同素材を使用すると、高重心設計には有利である。
【００２３】
結果として、コスト的に見ても、衝撃吸収の点からみても、低比重の素材と高比重の素材を組み合わせにたいしての設計自由度が増し、３次元効果のスムーズにフロー加速の効果でボールを包み込むだけでなく、前回転の加速をつけることができ飛距離の出やすいゴルフクラブヘッドとなる。
【００２４】
前述の３次元効果の基本設計理論である、特に、ロングクラブにおいて、フェース上部内側に錘を載せた高重心とソールの後側の後重心構造は、ゴルフクラブセットに於いて、米国特許を寺本征一郎が取得したものを、ゴルフクラブヘッドとして改良した。米国特許番号ＵＳ　６．３１５．６７８．　Ｂ１。
【００２５】
ゴルフクラブヘッドの場合、飛距離が出ることが最大のテーマであることは周知の事実である。ただ、個人の最大距離は個人差が大きくなるので、設計自由度の大きい比重の素材を使用することが重要テーマである。
【００２６】
具体的な説明としては、フェース上部付近とソール後部付近のウエイトがインパクト時の横軸の慣性モーメントと反動効果、さらに、ゴルフクラブヘッド全体の基本素材にマグネシューム合金を使用することで設計自由度が大きくなるだけでなく、ゴルフフレー時における衝撃を和らげ、バックスピンの減少とトップスピンがかかりやすくなり飛距離もよく出る。
【００２７】
一例として、ゴルフクラブドライバーヘッドを製作する場合、フェースを高重心にし、後部重心にする場合は、フェースの上部付近とソール後部付近のウエイトについてマグネシューム合金またはアルミニューム合金の塊として体積を多く使用する。
【００２８】
次に、前述のように、ゴルファー個人も個性に合ったロフトの最適な弾道が出やすくなるように、縦軸と横軸の設計自由度が大きくなることで、ゴルフクラブヘッドのスムーズな連動効果が出、個人個人の個性に合ったゴルフクラブヘッドが提供でき最大飛距離が期待できる。
【００２９】
ゴルフクラブヘッドのフェース上部内側とソール後部であるバックウエイト付近、ソール中心付近についての錘の調整構造については、マグネシューム合金やアルミニューム合金単体の塊だけでなく、炭素繊維、ステンレス、タングステンやその他異種素材との複合であっても良い。
【００３０】
【発明の実施の形態】
以下、添付図面を参照してこの発明の実施例を説明する。本発明に使用されるゴルフクラブヘッドのフェース高重心でソール後部ウエイト調整のヘッドは、ゴルフクラブデザインとして製造時に一体的に成形してもよく、あるいは、未完成のゴルフクラブヘッドを分割した部分とした物に後から溶接等で取り付けることも可能である。
【００３１】
従来のマグネシューム合金のヘッドは全体として肉厚の設計であったし縦軸と横軸の重心移動の理論も無く、全く特長の無い物であっただけでなく、大変高価であり一般ゴルファーには手の届かないヘッドでもある。
【００３２】
本発明品ゴルフクラブヘッドの製造は、鋳造と鍛造の組み合わせであり、量産可能であり価格的にみても十分競争できるヘッドになった。
【００３３】
本発明のゴルフクラブヘッドを製造する場合、マグネシューム合金とマグネシューム合金の溶接は可能である。通常は、クラウンとフェース部分とソール部分の２分割した物を溶接するが、プレーヤーによっては強度を十分補強しなければいけない場合もあるので、ネック部分の分割で３から４分割になるゴルフクラブヘッドも必要である。
【００３４】
基本的には、本発明ゴルフクラブヘッドの分割部分の製造についてであるがダイカストが好ましい。できれば強度を少しでも上げるために、ホットチャンバーダイカストマシンよりはコールドチャンバーダイカストマシンをするとよい。
【００３５】
ただ、フェース面とソール面については、ステンレス合金などの金属を接合しなければいけない場合もあるので、その部分については鍛造工程が必要になる。
【００３６】
通常、ゴルフボールが当たらないし衝撃も少ない、クラウン部分は、見栄えも必要となるので塗装が最適である。
【００３７】
【実施例】
以下、本発明の実施例について説明する。
図１は、ゴルフクラブヘッドにおける断面図を示す。ゴルフクラブヘッドのフェース高重心にするための肉厚部分（Ｂ）とソールとクラウン後部のバックウエイト部分（Ｅ）の加重した錘の位置がよくわかる。
【００３８】
図２は、ゴルフクラブヘッドにおける断面図を示す。ゴルフクラブヘッドのフェース高重心にするための肉厚部分（Ｂ）とソールとクラウン後部のバックウエイト部分（Ｅ）の加重した錘の位置、さらには、ソール中心付近より後部に向かって肉厚部分の錘（Ｆ）があるのがよくわかる。
【００３９】
図３は、ゴルフクラブヘッドにおける断面図を示す。ゴルフクラブヘッドのフェース高重心にするための肉厚部分（Ｂ）とソールとクラウン後部のバックウエイト部分（Ｅ）の加重した錘の位置、さらには、フェース面の表面とソール面の表面に腐食防止のための素材（Ｓ）を接合しているのがよくわかる。
【００４０】
図４は、ゴルフクラブヘッドにおける断面図を示す。ゴルフクラブヘッドのフェース高重心にするための肉厚部分（Ｂ）とソールとクラウン後部のバックウエイト部分（Ｅ）の加重した錘の位置、さらには、ソール中心付近より後部に向かって肉厚部分の錘（Ｆ）があり、さらには、フェース面の表面とソール面の表面に腐食防止のための素材（Ｓ）を接合しているのがよくわかる。
【００４１】
図５は、ゴルフクラブヘッドの上面図であり、ボールが当たるフェース面から後部のバックフェースにかけての図１から図４までの断面図の位置を点線で（Ｙ）表示しているのがよくわかる。
【００４２】
図６は、ゴルフクラブヘッドのフェース面を極端に大きくした断面図である。
マグネシューム合金とカーボン繊維などをステンレス合金かチタン合金で挟んでいるのがよく分かる。
【００４３】
図７は、ゴルフクラブヘッドのフェース面を極端に大きくした断面図である。
マグネシューム合金をステンレス合金かチタン合金で挟んでいるのがよく分かる。
【００４４】
図８は、ゴルフクラブヘッドの、ネックからヒールからトウに架けての断面図である。この部分がインパクト時の衝撃が大きい部分で強い強度が必要でありステンレス合金かチタン合金で補強すべき部分である。
【００４５】
図９は、ゴルフクラブヘッドの、ネックからヒールからトウに架けての断面図である。基本構造は図８と同じであるが、フェースの下部については異種素材を使用した断面図である。
【００４６】
図１０は、ゴルフクラブヘッドの上面図である。シャフトの取り付け部分である、図８、図９にあるネック部分からスタートし、トウからヒールに架けての断面図の位置である。
【００４７】
本発明のゴルフクラブヘッドをダイカストにて製造する場合は、フェース面（Ａ）からクラウン面（Ｃ）に架けての上面とソール面（Ｄ）補強部（図８、図９）の４ピースに分けて製造したものを、溶接で一体とすることが望ましい。
【００４８】
ゴルフクラブヘッドのフェース面とソール面に腐食防止のための、ステンレス合金やチタン合金（Ｓ）である金属素材の接合については複合材の鍛造金型が必要となる。また、腐食や摩擦の強度を上げるための表面処理であるが、本発明品についての厚みは１ｍｍとした。
【００４９】
図１、図２、図３、図４における、肉厚部分であるウエイト錘（Ｂ）（Ｅ）（Ｆ）については、溶接してもよいが、一体として形成してもよい。
【００５０】
【発明の効果】
本発明によって以下の効果を奏する。
（あ）このような、ゴルフクラブヘッドを利用することにより、ステンレスやチタンのような金属音ではなく、自然木のパーシモンに近い優しい音となり耳さわりが良くなる。
（い）ゴルフクラブヘッドの設計自由度が増し個人に最適なヘッドを開発、提供しやすくなった。
（う）基本素材がマグネシュームということで、衝撃にたいする吸収がきわめて優れている素材であり、手首や腰に負担が少なくなり、体に優しい素材である。高齢者、女性、子供や初心者に特に喜ばれるだけでなく、ミスショットの多いゴルファーのも待望の商品である。
（え）本発明のゴルフクラブヘッドを使用することで、複雑な動作や練習が少なくなりプレーに集中する事ができる。
（お）主たる材料である、マグネシュームは、リサイクル性がよいだけでなく、資源についても無限にあり、量産するほどコストが安くなるので、大衆化のは最適な素材でもある。
【図面の簡単な説明】
【図１】ゴルフクラブヘッドのフェースからバックフェースに架けての断面図
【図２】ゴルフクラブヘッドのフェースからバックフェースに架けての断面図
【図３】ゴルフクラブヘッドのフェースからバックフェースに架けての断面図
【図４】ゴルフクラブヘッドのフェースからバックフェースに架けての断面図
【図５】ゴルフクラブヘッドの上面図
【図６】ゴルフクラブヘッドのフェース断面図
【図７】ゴルフクラブヘッドのフェース断面図
【図８】ゴルフクラブヘッドトウからヒールに架けての断面図
【図９】ゴルフクラブヘッドトウからヒールに架けての断面図
【図１０】ゴルフクラブヘッドの上面図
【符号の説明】
Ａ　　ゴルフクラブヘッドのフェース面
Ｂ　　ゴルフクラブヘッドのフェース面上部付近のウエイト錘の位置
Ｃ　　ゴルフクラブヘッドのクラウン部
Ｄ　　ゴルフクラブヘッドのソール部分
Ｅ　　ゴルフクラブヘッドのバックウエイト錘の位置
Ｆ　　ゴルフクラブヘッドのソール中心より後部のウエイト錘の位置
Ｇ　　ゴルフクラブヘッドのトウ部分
Ｈ　　ゴルフクラブヘッドのネック部分
Ｊ　　ゴルフクラブヘッドのヒール部分
Ｍ　　マグネシューム
Ｎ　　ゴルフクラブヘッドのバックフェース部分
Ｏ　　ゴルフボール
Ｑ　　カーボン系の繊維
Ｓ　　ステンレス合金かチタン合金の金属系の部分
Ｙ　　フェースからバックフェースに架けての断面図の位置
Ｚ　　トウからヒールに架けての断面図の位置
２００　ソール前後の巾フェース側からバックフェース側にかけての長さであり、中心からフェース側にかけての長さ。
３００　ソール前後の巾フェース側からバックフェース側にかけての長さであり、中心からバックフェース側にかけての長さ。
１００　金属系の素材を必要とする領域
【図１】
2004024734.tif 000003
【図２】
2004024734.tif 000004
【図３】
2004024734.tif 000005
【図４】
2004024734.tif 000006
【図５】
2004024734.tif 000007
【図６】
2004024734.tif 000008
【図７】
2004024734.tif 000009
【図８】
2004024734.tif 000010
【図９】
2004024734.tif 000011
【図１０】
2004024734.tif 000012